(57)【特許請求の範囲】
【請求項１】
略長方形状に形成されたタオル本体と、楕円形状に作製されたものを引き伸ばして大きな楕円形状にした状態で上記タオル本体に縫い付けられた環状弾性部材とを備え、上記環状弾性部材が、これで囲まれた上記タオル本体の部分を内側に絞るような収縮作用を備えるようにしたことを特徴とするタオル。
【発明の詳細な説明】
【０００１】
【発明の属する技術分野】
本発明は、タオルに関するものである。
【０００２】
【従来の技術】
従来から、背中，脚等の身体を洗うためのボディタオル，湯上がり用のバスタオル等の各種タオルには、その使い勝手を良くするために、種々の工夫を施したものがある。例えば、実用新案登録第３０１３７８５号公報には、たわしを内蔵したボディタオルが提案されている。このボディタオルは、図７に示すように、タオル２１を、その長手方向に沿って２つ折りにし、この２つ折りにしたタオル２１の長手方向の略中央部に袋状の空間部２２を形成し、この空間部２２にたわし２３を収納固定したものである。図において、２３ａはたわし２３の表面針状部で、２４は重ね縫い部で、２５は折り込み部である。そして、このボディタオルを用いて背中を洗う場合には、タオル２１の長手方向の両端部を両方の手指で持ち、その状態でたわし２３を背中の所望の位置に置いて往復動させることを行う。また、背中以外の箇所を洗う場合には、タオル２１の長手方向の両側部をたわし２３側に折り曲げたのち、全体を一方の手指で掴みながら洗う。
【０００３】
【発明が解決しようとする課題】
しかしながら、このボディタオルでは、タオル２１とたわし２３を用いているため、部品点数が多いうえ、たわし２３の分だけ嵩張り、携帯等に不便である。しかも、たわし２３の表面針状部２３ａでタオル２１が早期に破れるおそれがある。さらに、たわし２３を囲むタオル２１の部分に石鹸等を付けても、この部分で泡立てることは難しい。
【０００４】
本発明は、このような事情に鑑みなされたもので、部品点数が少なく、また、嵩張ることがなく、しかも、早期に破れることがなく、さらに、泡立てやすいタオルの提供をその目的とする。
【０００５】
【課題を解決するための手段】
上記の目的を達成するため、本発明のタオルは、略長方形状に形成されたタオル本体と、楕円形状に作製されたものを引き伸ばして大きな楕円形状にした状態で上記タオル本体に縫い付けられた環状弾性部材とを備え、上記環状弾性部材が、これで囲まれた上記タオル本体の部分を内側に絞るような収縮作用を備えるようにしたという構成をとる。
【０００６】
すなわち、本発明のタオルは、タオル本体と、このタオル本体の所定の領域を囲った状態で上記タオル本体に縫い付けられた環状弾性部材とを備えている。そして、この環状弾性部材の収縮作用でタオル本体の上記領域を内側に絞ることにより、上記環状弾性部材で囲まれたタオル本体の部分で上端開口状の袋状体を形成している。このようなタオルを用い、背中等を洗う場合には、一方の手指でタオル本体の右端部を持ち、他方の手指でタオル本体の左端部を持ち、その状態で両方の手指を反対側に引っ張り、内側に絞られた環状弾性部材を外側に伸ばしてタオル本体を本来の長さに戻し、その状態で背中等を洗う。また、背中等以外の身体の部分を洗う場合には、上記袋状体の周囲のタオル本体の部分を上記袋状体の上端開口から袋状体内に収納する。つぎに、袋状体を湯や水に濡らして石鹸等を付ける。このとき、石鹸等が泡立ちやすく、袋状体の全体に石鹸等が充分に付く。そののち、この石鹸等を付けた袋状体を一方の手指で持ち、両腕，両脚等の身体の各部を洗う。また、上記したように、袋状体の周囲のタオル本体の部分を袋状体内に収納した状態では、石鹸等が泡立ちやすいため、泡立てのためにだけ使用することもできる。なお、本発明において、「環状弾性部材」とは、一部分が繋がっていないものをも含む意味である。
【０００７】
このように、環状弾性部材の収縮作用で形成される袋状体内に、この周囲のタオル本体の部分を収納した場合には、これに石鹸等を付けて泡立てたり、両脚，両腕等の身体の各部を洗ったりするのに適している。また、上記収納状態で、タオル本体が袋状体外にはみ出すことなくコンパクトに纏まっており、携帯等に便利である。一方、両方の手指でタオル本体の両端部を持ちながら両方の手指を反対側に引っ張り、タオル本体を本来の長さに戻すことにより、背中等を洗うことができる。
【０００８】
上記のように、本発明のタオルは、タオル本体に環状弾性部材を縫い付けているだけであり、部品点数が少なく、また、嵩張ることもない。しかも、従来例のように、たわし２３を用いていないため、たわし２３の表面針状部２３ａでタオル本体が早期に破れるというおそれがない。さらに、環状弾性部材の収縮作用で形成される袋状体を利用することにより、石鹸等を泡立てやすくなるうえ、携帯等にも便利である。
【０００９】
本発明では、上記環状弾性部材を引き伸ばして楕円形状にした状態で上記タオル本体に縫い付けられているため、環状弾性部材の収縮作用で形成される袋状体が細長形状になり、細長形状に形成されることが多いタオル本体に適している。すなわち、袋状体の周囲のタオル本体の部分を袋状体内に、その長手方向（すなわち、楕円形の長軸方向）に沿って収納することができ、コンパクトに纏まる。
【００１０】
【発明の実施の形態】
つぎに、本発明の実施の形態を図面にもとづいて詳しく説明する。
【００１１】
図１は本発明のタオルの一実施の形態を示している。この実施の形態では、タオルはボディタオルである。図において、１は略長方形状に形成された（この実施の形態では、左右幅が前後幅より長く形成された）綿製のタオル本体である。２はタオル本体１に縫い付けられたゴム紐である。このゴム紐２は、図２に示すように、楕円形に作製されたものであるが、これを放射方向に均等に伸ばして大きな楕円形にした状態で、タオル本体１に縫い付けられている。このため、タオル本体１に縫い付けられたゴム紐２は、元の形状（小さな楕円形）に戻ろうとして、このゴム紐２で囲まれたタオル本体１の部分を内側に絞るような収縮作用をし、上端開口状の袋状体３を形成する（図３参照）。なお、図１では、ゴム紐２を取り付けたタオル本体１が本来の略長方形状に保持されている。
【００１２】
上記構成において、本発明のタオルを用いて背中等を洗う場合には、タオル本体１に石鹸を付けたのち、一方の手指でタオル本体１の右端部を持ち、他方の手指でタオル本体１の左端部を持ち、その状態で両方の手指を反対側に引っ張ってタオル本体１を本来の長さに戻し、背中等を洗う。また、背中等以外の身体の部分を洗う場合には、ゴム紐２の収縮作用により形成された袋状体３（図３参照）の上端開口から、図４に示すように、その周囲のタオル本体１の部分を全て袋状体３内に収納する。この状態を図５に示す。この状態でタオル本体１を湯や水に濡らし、タオル本体１に石鹸等を付けると、石鹸等が泡立ちやすく、タオル本体１の全体に石鹸等が付く。そののち、背中等以外の身体の各部を洗う。
【００１３】
このように、上記実施の形態では、タオル本体１を伸ばした状態でも、ゴム紐２の収縮作用により形成された袋状体３内にその周囲のタオル本体１の部分を収納した状態でも使用することができる。しかも、タオル本体１にゴム紐２を取り付けただけであり、部品点数が少なく、嵩張らない。また、早期にタオル本体１が破れることがない。さらに、ゴム紐２の収縮作用により形成された袋状体３内にその周囲のタオル本体１の部分を収納した状態では、石鹸等が泡立ちやすくなるうえ、携帯等にも便利である。
【００１４】
さらに、ゴム紐２を楕円形にしてタオル本体１に縫い付けているため、上記袋状体３が細長形状になり、その周囲のタオル本体１の部分をコンパクトに収納することができる。
【００１５】
【実施例】
図１に示す実施の形態において、タオル本体１の前後幅を２８０ｍｍに、左右幅を９００ｍｍにそれぞれ設定している。また、ゴム紐２の円周長さを、伸ばした時で略８００ｍｍに、作製時で略３８０ｍｍにそれぞれ設定している。
【００１６】
なお、上記実施の形態では、タオル本体１の材料として、綿を使用しているが、これに限定するものではなく、布，ナイロン，木綿等を使用してもよい。また、パイル地や網目のタオル本体１でもよい。
【００１７】
また、上記実施の形態において、ゴム紐２をタオル本体１に縫い付ける際にゴム紐２を放射方向に伸ばしているが、前後方向，左右方向もしくは前後左右方向等の各種方向に限定して伸ばすようにしてもよい。また、上記実施の形態において、ゴム紐２を、２つ折りにしたタオル本体１間に挟んだ状態で両タオル本体１に縫い付けるようにしてもよい。また、上記実施の形態では、環状弾性部材として、ゴム紐２を用いているが、帯状のものや輪ゴム等を用いてもよい。
【００１８】
【発明の効果】
以上のように、本発明のタオルによれば、タオル本体に環状弾性部材を縫い付けているだけであり、部品点数が少なく、また嵩張ることもない。しかも、従来例のように、たわし２３を用いていないため、たわし２３の表面針状部２３ａでタオル本体が早期に破れるというおそれがない。さらに、環状弾性部材の収縮作用で形成される袋状体を利用することにより、石鹸等を泡立てやすくなるうえ、携帯等にも便利である。
【００１９】
本発明では、上記環状弾性部材を引き伸ばして楕円形状にした状態で上記タオル本体に縫い付けられているため、環状弾性部材の収縮作用で形成される袋状体が細長形状になり、細長形状に形成されることが多いタオル本体に適している。すなわち、袋状体の周囲のタオル本体の部分を袋状体内に、その長手方向（すなわち、楕円形状の長軸方向）に沿って収納することができ、コンパクトに纏まる。
【図面の簡単な説明】
【図１】本発明のタオルの一実施の形態を示す平面図である。
【図２】ゴム紐を示す平面図である。
【図３】タオル本体に縫い付けたゴム紐が収縮した状態を示す説明図である。
【図４】袋状体にタオル本体を収納している状態を示す説明図である。
【図５】上記袋状体にタオル本体を収納し終えた状態を示す説明図である。
【図６】従来例を示す平面図である。
【符号の説明】
１  タオル本体
２  ゴム紐
【図１】
0003562996.tif 000002
【図２】
0003562996.tif 000003
【図３】
0003562996.tif 000004
【図４】
0003562996.tif 000005
【図５】
0003562996.tif 000006
【図６】
0003562996.tif 000007